(57)【要約】【課題】安価にて製造可能である簡単な構成でありながら、あらゆる角度から自動販売機を見た場合にも消費者の目を引くことができる立体構造体を提供する。【解決手段】自動販売機２の内部または外面に取り付けられる、デザインを施してなる立体構造体１であり、この立体構造体１の背面部に設けられて前記背面板５に吸着する磁石１１とを備える。【選択図】図１
0003142169.tif 000002
【実用新案登録請求の範囲】
【請求項１】
自動販売機の内部または外面に取り付けられる、デザインを施してなる立体構造体であって、その背面部には吸着用の磁石を備えてなることを特徴とする立体構造体。
【請求項２】
自動販売機のダミー体展示台後方の背面板に取付けられる請求項１に記載の立体構造体。
【請求項３】
商品または商品製造元を示すシンボルまたはロゴのデザインを施したものである請求項１または請求項２に記載の立体構造体。
【請求項４】
スポーツに用いるボールのデザインを施したものである請求項１または請求項２に記載の立体構造体。
【請求項５】
その表面は鏡面仕上げされた曲面である請求項１または請求項２に記載の立体構造体。
【請求項６】
正面視円形の球体である請求項１〜請求項５の何れかに記載の立体構造体。
【請求項７】
正面視楕円形の扁平した球体である請求項１〜請求項５の何れかに記載の立体構造体。
【請求項８】
請求項１〜７の何れかに記載の立体構造体をその内部または外面に取り付けてある自動販売機。
【考案の詳細な説明】
【技術分野】
【０００１】
本考案は、ジュースやコーヒー、ビールなどの缶入りまたは瓶入りの飲料や、煙草、乾電池などを無人販売するための自動販売機に設けた立体構造体および自動販売機に関し、より詳細には自動販売機の例えばダミー体展示台の後方の背面板に取り付けられて人目を引くことができる立体構造体と、この立体構造体を取り付けた自動販売機に関する。
【背景技術】
【０００２】
自動販売機はその前面に、販売対象となる実物の商品の代わりとなるダミー体の展示台を備える。また、ダミー体展示台の後方の背面板にはバックシートと呼ばれる商品の消費を促す広告が記載されたシート状部材を貼着してある。あるいはダミー体展示台後方の背面板に前記広告を形成した樹脂板を配置してある。
【考案の開示】
【考案が解決しようとする課題】
【０００３】
しかしながら、従来の広告は平面的なものであるから、この広告を自動販売機の側方から見た場合には、広告内容が見づらく、販売促進に貢献できないという問題があった。広告となるシート状部材を折り曲げて折箱のような形状に成形した場合にも、この広告を見る方向によってデザインが歪むため販売促進効果が減少するという問題が生じる。
【０００４】
また、従来のシート状の広告を背面板に取り付けるためには、接着剤を用いて糊付けする必要が生じ、撤去時には背面板に接着剤が残ってしまうことがあった。一方、樹脂板からなる広告を取り付ける場合には、これを設置するためのフックなどからなる設置部を設ける必要があった。
【０００５】
本考案は上述の事柄を考慮に入れてなされたものであって、安価にて製造可能である簡単な構成でありながら、あらゆる角度から自動販売機を見た場合にも消費者の目を引くことができる立体構造体および自動販売機を提供することを課題とする。
【課題を解決するための手段】
【０００６】
前記課題を解決するため、第１考案は、自動販売機の内部または外面に取り付けられる、デザインを施してなる立体構造体であって、その背面部には吸着用の磁石を備えてなることを特徴とする立体構造体を提供する。（請求項１）
【０００７】
前記構成よりなる立体構造体はデザインを施してなる立体構造体であるから、この立体構造体が立体的な展示（広告など）となり、あらゆる方向から正常に見ることができる。つまり、広い視野角において宣伝効果を得ることができる。なお、前記デザインとは色彩、模様、文字のうち少なくとも一つを備えるものである。
【０００８】
前記立体構造体は、射出成形または中空成形された合成樹脂またはゴムからなる立体成形体に印刷などの手段によって着色を施して形成されたものであることにより、自然でありながら、製造コストを削減することができる。他方、立体構造体は射出成形または中空成形された合成樹脂またはゴムの表面に所定のデザインを印刷したシートを変形させて被せたものであることにより、デザインの変更を容易に行うことができ、製造コストを削減することができる。逆に、立体構造体はこれを成形する際に印刷物を同時に成形したものであれば、さらにリアルなデザインを施すことができる。
【０００９】
立体構造体の背面部に設けられた磁石は立体構造体を壁面に取り付けるものであり、磁石が自動販売機に吸着することにより立体構造体を背面板に取り付けることができる。加えて、磁石は自動販売機との間にシート状の広告または飾り付け（バックシート）を挟んだ状態でも吸着できるので、バックシートを貼り付けた状態で止めることが可能である。
【００１０】
さらに、立体構造体の背面部には、前記背面板に対面する平面部を形成したものであることが好ましい。この平面部は背面板に取り付けられた立体構造体の平面部が背面に対面することにより立体構造体の取付状態を安定させるものである。
【００１１】
前記立体構造体が、前記自動販売機に取り付けられる基部と、この基部に着脱自在に取り付けられた本体部とを備えるものである場合には、新しい展示を作成する場合に基部を共通して用い、本体部のみ取り替えることにより、異なる立体構造体を形成することが可能であるから、その製造コストをさらに削減することができる。
【００１２】
前記立体構造体が自動販売機のダミー体展示台後方の背面板に取付けられる場合（請求項２）には、ダミー体展示台後方のデッドスペースを有効活用して宣伝効果を得ることができる。
【００１３】
前記立体構造体が商品または商品製造元を示すシンボルまたはロゴのデザインを施したものである場合（請求項３）には、商品のより良い宣伝に寄与する。すなわち、特定の商品メーカまたは特定の商品を好んで消費する消費者は、立体構造体を見るだけで自らの好みに合う商品の存在を確認でき、その購買意欲を高めることができる。
【００１４】
前記立体構造体がスポーツに用いるボールのデザインを施したものである場合（請求項４）には、該当するスポーツに関心をもっている消費者の注意を引くことができる。とりわけ、特定のスポーツチームを応援している消費者は最新形ボールのデザインを容易に認識でき、さらなる購買意欲の促進を促すことができる。このボールのデザインはプレゼント等のキャンペーン情報と関係のあるものであることにより、相乗効果を得ることができるので好ましい。
【００１５】
立体構造体がスポーツのプレー状態の写真や絵柄など、前記ボールが飛び出したように見える絵柄を施してなる広告用バックシートを備えることにより、平面的な広告と立体的な広告が組み合わさった新感覚の表示となり、さらに人目を引くものとなる。
【００１６】
前記立体構造体の表面は鏡面仕上げされた曲面である場合（請求項５）には、この曲面に消費者が見る角度によって異なる像を映し出すことができる。立体構造体の表面に、ダミー体展示台に展示されたダミー体が映し出されることにより、表現において今までにない広がりを見せる。
【００１７】
前記立体構造体の形状は正面視円形の球体である場合（請求項６）には、立体構造体の成形が容易であり、それだけ製造コストを削減することができる。なお、前記立体構造体の形状を表す球体には、完全な球体のみならず前記背面板等に対面する前記平面部を備える一部切り欠き球体も含まれる。
【００１８】
前記立体構造体の形状は正面視楕円形の扁平した球体である場合（請求項７）には、立体構造体の成形が容易であり、それだけ製造コストを削減することができる。また、正面視楕円形であるから、立体構造体により多くの広告を施すことができる。なお、前記立体構造体の形状を表す扁平した球体には、扁平した完全な球体のみならず前記背面板等に対面する前記平面部を備える一部切り欠きを備える扁平した球体も含まれる。
【００１９】
第２考案は立体構造体を前記背面板に取り付けてある自動販売機を提供する。（請求項８）
【考案の効果】
【００２０】
前述したように、本考案によれば、立体構造体が立体的な展示となり、あらゆる方向から正常に見ることができるので、広い視野角において人目を引くことができ、高い宣伝効果を得ることができる。また、立体構造体を磁石を用いて自動販売機に容易に取り付けることができるので、背面板に立体構造体を取り付けるための特別な機構を不要としており、空いた空間を自由に有効活用して広告を形成することができる。従って、一時的なキャンペーン情報や季節限定の商品などの広告に柔軟に対応することができる。
【００２１】
立体構造体の背面部に磁石を設けているので、間にバックシートを挟んだ状態で吸着できるので、バックシートを自動販売機の前面に貼り付けた状態で止める役割を兼ねることができる。したがって、自動販売機の金属板であればどこであってもバックシートを配置することが可能となり、撤去時に接着剤の糊残りなどの問題を起こすこともない。
【００２２】
立体構造体は商品または商品製造元を示すシンボルまたはロゴのデザインを施したものである場合には、特定の商品供給元または特定の商品を好んで消費する消費者の購買意欲を高めることができ、商品のより良い宣言に寄与する。また、立体構造体はスポーツに用いるボールのデザインを施したものである場合には、該当するスポーツに関心をもっている消費者の購買意欲をさらに促進することができる。さらに、前記立体構造体の表面は鏡面仕上げされた曲面である場合には、消費者が見る角度によって異なる広告を映し出すことができ、表現において今までにない広がりを見せることができる。立体構造体の形状が円形または扁平した円形であることにより製造コストを引き下げることができる。
【考案を実施するための最良の形態】
【００２３】
図１〜図５は、本考案の第１実施形態に係る立体構造体１の構成を示す図であり、図１は本考案の立体構造体１を用いる自動販売機２の構成を示す斜視図である。
【００２４】
図１に示すように、第１考案の立体構造体１はジュースやコーヒー、ビールなどの缶入りまたは瓶入りの飲料を無人販売するための自動販売機２に取り付けられることにより広告あるいは展示となるものである。また、第２考案の自動販売機は前記立体構造体１を取り付けてある自動販売機２である。なお、前記自動販売機２は、煙草、乾電池などを販売するものであってもよい。
【００２５】
自動販売機２には販売対象となる商品のダミー体３を陳列するダミー体展示台４を備え、このダミー体展示台４の後方には背面板５を備える。
【００２６】
なお、６は商品選択ボタン、７は金銭投入部、８はメッセージ表示部、９は商品取り出し部である。前記ダミー体展示部４の表面には透明度の高い合成樹脂からなる窓板４ａを設けており、立体構造体１、ダミー体３、および、背面板５に貼り付けられるバックシート５ａを保護している。
【００２７】
図２〜図４は第１実施形態の立体構造体１（以下、第１実施形態の立体構造体１を立体構造体１Ａという）の構成を示す図である。
【００２８】
図２〜図４に示すように、第１実施形態の立体構造体１Ａは射出成形されたされた硬質合成樹脂からなり広告となるデザインＤ１を施してあり、この立体構造体１Ａの背面部に形成されて商品展示部４の背面板５に吸着する磁石１１とを備える。
【００２９】
前記立体構造体１Ａは前記磁石１１が取り付けられた基部１０Ａと、この基部１０Ａに連結可能である本体部１０Ｂとからなり、この本体部１０Ｂはその表面に沿うように湾曲させた状態で本体部１０Ｂに貼着されるシート１２を備える。
【００３０】
前記立体構造体１Ａの全体形状は正面視円形であり、背面部に前記背面板５に対面する平面部１０Ｃを備える一部切り欠き球体である。前記磁石１１は平面部１０Ｃの中央に埋設するように取り付けられるものである。すなわち、この磁石１１を背面板５に吸着させることにより、前記背面板５に平面部１０Ｃを対面させて取り付けることができるように構成している。基部１０Ａは環状凸部１０Ｄを備え、本体部１０Ｂはこの環状凸部１０Ｄに嵌合する環状凹部１０Ｅを備える。
【００３１】
本実施形態の前記シート１２は商品メーカを示すロゴとなる模様Ｓａおよび文字Ｓｂを組み合わせたデザインＤ１の印刷を施した樹脂フィルムを立体構造体１Ａの形状に合わせて変形させたものであり、本体部１０Ｂとの接触部には両面テープ１２ａを備える。
【００３２】
本実施形態の場合、立体構造体１Ａが基部１０Ａと本体部１０Ｂとからなるので、シート１２に印刷したシンボルやロゴなどのデザインＤ１を変えることにより異なる広告を形成することができる。つまり、立体構造体１Ａの基部１０Ａを共通の部材として用い、本体部１０Ｂのみそのデザインに従って複数形成することにより、立体構造体１の製造コストを引き下げることができる。あるいは、立体構造体１Ａにシート１２を被せるように構成しているので、異なる広告を印刷してなるシート１２を複数形成し、これらを立体構造体１Ａに取り替え可能に貼り付けることにより、さらなる製造コストの削減を図ることもできる。
【００３３】
図５は、前記構成の立体構造体１Ａを自動販売機２のダミー体展示台４の背面板５に取り付けた状態を示す図である。
【００３４】
図５に示すように、前記立体構造体１は強磁性体の金属などによって形成された背面板５であれば任意の位置に取り付けることができる。つまり、ダミー体展示台４に並べられるダミー体３の配置に合わせて、背面板５のダミー体３を配置していない任意の位置に立体構造体１を容易に取り付けることができる。
【００３５】
また、立体構造体１Ａの背面部に設けた磁石１１はバックシート５ａを挟んだ状態でも背面板５に吸着するので、立体構造体１を用いてバックシート５ａを背面板５の表面に貼り付けた状態で止めることが可能である。つまり、本実施形態の立体構造体１Ａはバックシート５ａの止め具としての役割を果たすことができる。
【００３６】
背面板５に取り付けられた立体構造体１は立体的な構造体であるから、あらゆる方向から正常に見ることができる。したがって、自動販売機２を横方向から見たときにも、立体構造体１の宣伝効果を高く保つことができ、それだけ人目につき、商品の販売を促進することができる。
【００３７】
図６，図７は第２実施形態に係る立体構造体１（以下、第２実施形態の立体構造体１を立体構造体１Ｂという）の構成を示す図である。なお、図６，図７に示す立体構造体１Ｂにおいて、図２〜図５に示す立体構造体１Ａと同一または同等の部材は同一の符号を付すことにより重複説明を避ける。
【００３８】
図６，図７に示す第２実施形態の立体構造体１Ｂは、その表面に印刷などの手段によって直接着色を施し、商品を示すロゴとなる文字Ｓｃおよび模様Ｓｂを組み合わせたデザインＤ２の印刷を施したものである。また、本実施形態の立体構造体１Ｂの形状は正面視楕円形の扁平した一部切り欠きを備えた球体である。
【００３９】
第２実施形態の立体構造体１Ｂはその形状が正面視楕円形の扁平した球体であるから、この立体構造体１Ｂを横長に配置することにより、横方向により多くの文字を大きく表示することが可能となる。すなわち、それだけ大きな広告を表示することができ、人目をひくようになるので、宣伝効果を高めることができる。
【００４０】
図８は第３実施形態に係る立体構造体１（以下、第３実施形態の立体構造体１を立体構造体１Ｃという）を示す図である。第３実施形態の立体構造体１Ｃは、その形状が正面視円形の球体であり、この立体構造体１Ｃの表面は鏡面仕上げされた曲面である。その他の構成については図１〜図７と同等であるからその詳細な構成の説明を省略する。
【００４１】
前記構成の立体構造体１Ｃを背面板５に取り付けることにより、その表面にダミー体３を写した像３ａおよび左右の立体構造体１Ｂを写した像１Ｂａ、１Ｂｂを表示することができる。また、前記立体構造体１Ｃに映し出される像は立体構造体１Ｃを見る角度によって異なるので、従来にない広がりをもった表示を行うことができる。
【００４２】
なお、本実施形態の立体構造体１Ｃは、その背面に、前記立体構造体１Ｃの曲面に反射した状態で正しく映し出される絵柄を施してなる広告用バックシートを備えることにより、広告用バックシートに記載された絵柄が見る角度によって立体構造体１Ｃに正しく映し出され、さらに面白みのある広告とすることができる。
【００４３】
図９、図１０は第４実施形態に係る立体構造体１（以下、第４実施形態の立体構造体１を立体構造体１Ｄという）の構成を示す図である。図９、１０に示す立体構造体１Ｄは、中空成形された合成ゴムからなりスポーツに用いるボールのデザインを施したものであり、その背面部に設けられて前記背面板に吸着する磁石１６を備える。
【００４４】
前記立体構造体１Ｄの表面には、例えばサッカーボールの縫い目のような筋Ｓｅと、印刷によって着色された模様Ｓｆとを備えるデザインＤ３を施している。したがって、本実施形態の立体構造体１Ｄは例えばサッカーの公式戦に用いるボールのようなデザインＤ３である。前記構成の立体構造体１Ｄを用いることにより、とりわけサッカーに関心をもっている消費者の目を引くことができる。
【００４５】
図１１は前記立体構造体１Ｄを用いる例を示す図である。図１１において、５ｂは背面板５の表面部に貼り付けられる広告用バックシートであり、このバックシート５ｂにはスポーツのプレー状態のサッカー選手５ｃやゴール５ｄなどを表示し、サッカーボールの形をした立体構造体１Ｄが飛び出したように見える絵柄を施したものである。このバックシート５ｂはステッカーのように背面板５に接着する接着部を備えるものである。しかしながら、このバックシート５ｂは立体構造体１Ｄの磁石によって背面板５に取り付けられるものであってもよい。
【００４６】
図１１に示すように、本実施形態の立体構造体１Ｄがこのバックシート５ｂを備えるものであることにより、バックシート５ｂによる平面的な広告と、立体構造体１Ｄによる立体的な広告の組み合わせによる新感覚の表示をおこなうことができ、それだけ、人目を引くものとなる。なお、立体構造体１Ｄに施したボールのデザインＤ３に合わせて、例えば次期公式戦の招待キャンペーン情報などと組み合わせることにより更なる購買意欲の促進を行うことができる。
【００４７】
図１２は、前記立体構造体１Ｄの例であるボールのデザインＤ４〜Ｄ６の一例を示す図である。図１２（Ａ）は通常のサッカーボールのデザインＤ４、図１２（Ｂ）は野球ボールのデザインＤ５、図１２（Ｃ）はバスケットボールのデザインＤ６を示している。すなわち、本実用新案の立体構造体１Ｄは種々のスポーツのボールの形に成形し着色を施すことができる。
【００４８】
なお、上述の各実施形態において、立体構造体１Ａ〜１Ｄの形成時に着色された樹脂を用いることにより、着色を予め行うことができ、それだけリアルな立体構造体１を形成することができる。
【図面の簡単な説明】
【００４９】
【図１】本考案の立体構造体を用いる自動販売機の構成を示す図である。
【図２】第１実施形態に係る立体構造体の構成を示す正面図である。
【図３】前記立体構造体の内部構造を示す水平断面図である。
【図４】前記立体構造体の分解斜視図である。
【図５】前記立体構造体を用いた例を示す図である。
【図６】第２実施形態に係る立体構造体の構成を示す正面図である。
【図７】前記立体構造体の内部構造を示す水平断面図である。
【図８】第３実施形態に係る立体構造体の構成を示す図である。
【図９】第４実施形態に係る立体構造体の構成を示す図である。
【図１０】前記立体構造体の水平断面図である。
【図１１】前記立体構造体を用いた例を示す図である。
【図１２】第４実施形態の立体構造体に施す種々のデザインを示す図である。
【符号の説明】
【００５０】
１（１Ａ，１Ｂ…）  立体構造体
２                  自動販売機
３                  ダミー体
４                  ダミー体展示台
５                  背面板
１０Ａ              基部
１０Ｂ              本体部
１０Ｃ              平面部
１１，１６          磁石
１２                シート
Ｓａ，Ｓｄ〜Ｓｆ    模様
Ｓｂ，Ｓｃ          文字
Ｄ１，Ｄ２…        デザイン
【図１】
0003142169.tif 000003
【図２】
0003142169.tif 000004
【図３】
0003142169.tif 000005
【図４】
0003142169.tif 000006
【図５】
0003142169.tif 000007
【図６】
0003142169.tif 000008
【図７】
0003142169.tif 000009
【図８】
0003142169.tif 000010
【図９】
0003142169.tif 000011
【図１０】
0003142169.tif 000012
【図１１】
0003142169.tif 000013
【図１２】
0003142169.tif 000014